(57)【特許請求の範囲】
【請求項１】
多数のコンテンツを含むデジタル放送信号を受信するとともに、この受信したデジタル放送信号によりコンテンツを出力するデジタル放送受信装置であって、
前記デジタル放送信号を正常に受信できるか否かを検出する受信状態検出手段と、
前記デジタル放送受信装置と無線通信可能な別体の記録コンテンツ再生装置と通信を行う周辺機器通信手段と、
前記周辺機器通信手段を介して接続可能な前記記録コンテンツ再生装置の識別ＩＤを要求して周辺に存在する前記記録コンテンツ再生装置を探索する再生装置探索手段と、
前記周辺機器通信手段を介して受信した前記識別ＩＤを持つ前記記録コンテンツ再生装置に対し格納されている記録コンテンツの再生と送信とを要求して、前記記録コンテンツ再生装置の再生制御を行う再生装置制御手段と、
前記受信状態検出手段がデジタル放送信号を正常に受信できないと検出した場合、前記再生装置探索手段が探索した周囲に存在する前記記録コンテンツ再生装置に対し、前記再生装置制御手段が前記記録コンテンツの再生と送信とを要求し、前記記録コンテンツ再生装置から送信された前記記録コンテンツを前記周辺機器通信手段が受信したとき、前記デジタル放送信号の受信によるコンテンツの出力から前記受信した前記記録コンテンツの出力に切り替え、当該切り替えた前記記録コンテンツの出力が終了した際に、前記受信状態検出手段がデジタル放送信号を正常に受信できると検出している場合、前記記録コンテンツの出力から前記正常に受信されたデジタル放送信号のコンテンツの出力に切り替える切替手段と、
を備えることを特徴とするデジタル放送受信装置。
【請求項２】
前記デジタル放送受信装置は、移動体に搭載され、
前記移動体の現在位置を取得する現在位置取得手段と、
前記現在地置取得手段で取得した現在位置と地図データとに基づいて、デジタル放送信号を正常に受信できるか否かを予測する受信状態予測手段と、
を備え、
前記切替手段は、前記受信状態予測手段でデジタル放送信号を正常に受信できないと予測した場合、前記デジタル放送信号の受信によるコンテンツの出力から前記再生による前記記録コンテンツの出力に切り替えることを特徴とする請求項１に記載のデジタル放送受信装置。
【請求項３】
前記デジタル放送信号は、人工衛星を介して放送されることを特徴とする請求項１または請求項２に記載のデジタル放送受信装置。
【請求項４】
前記人工衛星は、長楕円軌道衛星であることを特徴とする請求項３に記載のデジタル放送受信装置。
【請求項５】
前記デジタル放送信号は、地上波デジタル放送で放送されることを特徴とする請求項１または請求項２に記載のデジタル放送受信装置。
【発明の詳細な説明】
【０００１】
【発明の属する技術分野】
本発明は、デジタル放送信号を正常に受信できない場合でもコンテンツを出力できるデジタル放送受信装置に関する。
【０００２】
【従来の技術】
近年、衛星デジタル放送が開始し、さらに地上波デジタル放送も予定されている。そのため、音楽、ニュースやスポーツ等の多数のコンテンツが多重化されたデジタル放送信号を受信し、さらに受信したデジタル放送信号を復調してコンテンツを出力するデジタル放送受信装置が開発されている。そして、これらデジタル放送が普及するとともにデジタル放送受信装置の開発が進むと、自動車等の移動体でもデジタル放送信号を受信して音楽等を出力するようになることが予想される。
【０００３】
【発明が解決しようとする課題】
しかしながら、自動車でデジタル放送信号を受信する場合、走行中に受信位置が絶えず変る。そのため、自動車がトンネルに入ったりあるいはビルの影に入ったりすると、これら障害物によって、デジタル放送信号の受信電波が弱くなったり、デジタル放送信号を全く受信できなくなったりする。このような場合、デジタル放送受信装置では、デジタル放送信号を復調して完全なコンテンツデータを取り出すことができないので、音楽やニュース等を音声出力している際に音を全く出力しない音切れが発生する。この音切れにより、ドライバに不快感を与える。ちなみに、ＡＭ放送やＦＭ放送等のアナログ放送信号の受信電波が弱くなった場合、雑音が入るが、音楽やニュースが多少聞こえる程度には出力できるので、ドライバに与える不快感が少ない。
【０００４】
そこで、本発明の課題は、デジタル放送信号を正常に受信できない場合でもコンテンツを出力できるデジタル放送受信装置を提供することにある。
【０００５】
【課題を解決するための手段】
前記課題を解決した本発明は、多数のコンテンツを含むデジタル放送信号を受信するとともに、この受信したデジタル放送信号によりコンテンツを出力するデジタル放送受信装置であって、デジタル放送信号を正常に受信できない場合、無線通信可能な記録コンテンツ再生装置に向けて、その識別ＩＤを要求することで、接続可能な記録コンテンツ再生装置を探索する。続いて、このデジタル放送受信装置は、受信した識別ＩＤを記録コンテンツ再生装置に対し、格納されている記録コンテンツの再生と送信とを要求して、記録コンテンツ再生装置の再生制御を行う。そして、このデジタル放送受信装置は、その識別ＩＤの記録コンテンツ再生装置から送信される記録コンテンツを受信し、デジタル放送信号によるコンテンツに代えて記録コンテンツ再生装置から送信される記録コンテンツを出力する。また、このデジタル放送受信装置は、その識別ＩＤの記録コンテンツ再生装置から送信される記録コンテンツの出力が終了した際に、デジタル放送信号を正常に受信している場合、デジタル放送信号のコンテンツの出力に切り替える。
このデジタル放送受信装置によれば、デジタル放送信号を正常に受信できない場合でも、接続可能な記録コンテンツ再生装置から記録コンテンツを受信して、デジタル放送信号によるコンテンツに代えて、記録コンテンツ再生装置から受信した記録コンテンツを出力するので、放送されたコンテンツと記録コンテンツとを途切れずに出力できる。
【０００６】
【発明の実施の形態】
以下、図面を参照して、本発明に係るデジタル放送受信装置の実施の形態を説明する。
【０００７】
本発明に係るデジタル放送受信装置は、多数のコンテンツを含むデジタル放送信号を受信するとともに、この受信したデジタル放送信号によりコンテンツを出力するデジタル放送受信装置であって、障害物や放送施設の故障等によってデジタル放送信号を正常に受信できない場合でも、コンテンツを出力することができる。
【０００８】
そのために、このデジタル放送受信装置は、受信したコンテンツを蓄積するコンテンツ蓄積手段と、デジタル放送信号を正常に受信できるか否かを検出する受信状態検出手段と、受信状態検出手段でデジタル放送信号を正常に受信できないと検出した場合、受信によるコンテンツからコンテンツ蓄積手段に蓄積したコンテンツの再生に切り替える切替手段とを備えており、予め蓄積しておいたコンテンツの再生に切り替えて出力できるので、デジタル放送信号を正常に受信できない場合でもコンテンツの出力が途切れない。さらに、このデジタル放送受信装置は、前記デジタル放送受信装置において、デジタル放送信号から電子番組表を取得する電子番組表取得手段と、電子番組表に基づいて、視聴者が嗜好する番組の情報を登録する番組登録手段と、番組登録手段で登録された番組の情報を記憶する番組情報記憶手段と、番組情報記憶手段に記憶された番組のコンテンツを、受信したコンテンツの中から抽出し、この抽出した番組のコンテンツをコンテンツ蓄積手段に蓄積する番組抽出手段とを備えており、視聴者が蓄積しておく番組を選ぶことができるので、蓄積したコンテンツを再生する場合でも視聴者が好みの番組を出力することができる。あるいは、このデジタル放送受信装置は、前記デジタル放送受信装置において、デジタル放送信号から各コンテンツに割り振られたコンテンツＩＤを取得するコンテンツＩＤ取得手段と、視聴者が嗜好するコンテンツのコンテンツＩＤを登録するコンテンツＩＤ登録手段と、コンテンツＩＤ登録手段で登録されたコンテンツＩＤを記憶するコンテンツＩＤ記憶手段と、コンテンツＩＤ記憶手段に記憶されたコンテンツＩＤと一致するコンテンツＩＤを有するコンテンツを、受信したコンテンツの中から抽出し、この抽出したコンテンツをコンテンツ蓄積手段に蓄積するコンテンツ抽出手段とを備えており、視聴者が蓄積しておくコンテンツをコンテンツＩＤで選ぶことができるので、蓄積したコンテンツを再生する場合でも視聴者が好みのコンテンツを出力することができる。
【０００９】
また、このデジタル放送受信装置は、受信したコンテンツを蓄積するコンテンツ蓄積手段と、デジタル放送信号を正常に受信できるか否かを検出する受信状態検出手段と、受信したデジタル放送信号により出力しているコンテンツと同一のコンテンツをコンテンツ蓄積手段から検出する同一コンテンツ検出手段と、受信状態検出手段でデジタル放送信号を正常に受信できないと検出した場合、受信によるコンテンツから同一コンテンツ検出手段で検出した同一のコンテンツの再生に切り替える切替手段とを備えており、視聴者がチャンネル等を選択して視聴している受信によるコンテンツを出力できなくなった場合でも、この出力中のコンテンツと同じコンテンツを蓄積しておいたコンテンツから抽出し、継続して再生出力することができる。
【００１０】
また、このデジタル放送受信装置は、デジタル放送信号を正常に受信できるか否かを検出する受信状態検出手段と、デジタル放送受信装置と通信可能な記録コンテンツ再生装置と通信を行う通信手段と、通信手段を介して記録コンテンツ再生装置を探索する再生装置探索手段と、通信手段を介して記録コンテンツ再生装置の再生制御を行う再生装置制御手段と、受信状態検出手段でデジタル放送信号を正常に受信できないと検出した場合、受信によるコンテンツから記録コンテンツ再生装置で再生しているコンテンツに切り替える切替手段とを備えており、デジタル放送受信装置の周辺にある記録コンテンツ再生装置からの再生コンテンツを出力することができるので、装置内にコンテンツを蓄積しておかないでもよい。
【００１１】
さらに、前記デジタル放送受信装置は、自動車等の移動体に搭載され、移動体の現在位置を取得する現在位置取得手段と、現在位置取得手段で取得した現在位置と地図データとに基づいて、デジタル放送信号を正常に受信できるか否かを予測する受信状態予測手段とを備え、切替手段は、受信状態予測手段でデジタル放送信号を正常に受信できないと予測した場合、受信によるコンテンツから再生によるコンテンツに切り替えるので、トンネル等のデジタル放送信号を受信できない場所を予測して、コンテンツの出力が途切れる前に再生コンテンツを出力することできる。
なお、移動体は、デジタル放送受信装置を搭載あるいは携帯して移動するものであり、例えば、自動車、列車、人等である。
【００１２】
また、前記デジタル放送受信装置は、長楕円軌道衛星等の人工衛星を介して放送されるデジタル放送信号を受信する。あるいは、前記デジタル放送受信装置は、地上波デジタル放送からのデジタル放送信号を受信する。
【００１３】
本実施の形態では、本発明に係るデジタル放送受信装置を、自動車に搭載され、デジタル放送信号を受信してそのデジタル放送信号によりコンテンツを音声出力する移動体受信端末に適用する。本実施の形態では、デジタル放送信号をコンテンツ配信局で生成し、このデジタル放送信号を人工衛星を介して衛星デジタル放送または電波塔から地上波デジタル放送している。なお、本実施の形態では、移動体受信端末およびコンテンツ配信局の構成の違いにより５つの実施の形態がある。
【００１４】
まず、図１を参照して、本実施の形態に係るデジタル放送システムＳの全体構成について説明する。図１は、デジタル放送システムＳの全体構成図である。
【００１５】
デジタル放送システムＳでは、コンテンツ配信局２において音楽やニュース等のコンテンツを符号化かつ多重化してデジタル放送信号ＤＳを生成し、このデジタル放送信号ＤＳを送信アンテナＴＡから人工衛星ＡＳを介して衛星デジタル放送または電波塔ＲＴから地上波デジタル放送している。そして、デジタル放送システムＳでは、自動車Ｖに搭載された移動体受信端末１においてデジタル放送信号ＤＳを受信し、デジタル放送信号ＤＳを復調してコンテンツを音声出力している。ちなみに、人工衛星ＡＳは、長楕円軌道衛星（ＨＥＯ[Highly Elliptical Orbit]衛星）である。
なお、本実施の形態では、移動体受信端末１が特許請求の範囲に記載するデジタル放送受信装置に相当し、自動車Ｖが特許請求の範囲に記載する移動体に相当する。
【００１６】
通常、移動体受信端末１では、デジタル放送受信部１ａの受信アンテナ（図示せず）でデジタル放送信号ＤＳを受信し、このデジタル放送信号ＤＳを復調して多数のコンテンツを取り出している。そして、移動体受信端末１では、ドライバ（あるいは、同乗者）が選択したチャンネルのコンテンツを再生切替部１ｂを介してスピーカ１ｄから音声出力している。また、移動体受信端末１では、受信したコンテンツをデータベース（以下、ＤＢ[Data Base]と記載する）１ｃに蓄積している。
【００１７】
しかし、自動車Ｖは、走行して位置を移動するので、ビルＢの影やトンネル（図示せず）内に入ることがある。このような場合、移動体受信端末１では、デジタル放送信号ＤＳの受信電波が弱くなったり、あるいはデジタル放送信号ＤＳを全く受信できなくなったりする。そこで、移動体受信端末１では、再生切替部１ｂで音声出力する対象を受信しているコンテンツから蓄積しておいたコンテンツに切り替え、その蓄積コンテンツを再生してスピーカ１ｄから出力する。
【００１８】
ここで、デジタル放送信号ＤＳについて説明しておく。
デジタル放送信号ＤＳは、トランスポートストリーム（以下、ＴＳ[Transport Stream]と記載する）が衛星放送または地上波放送に適した信号に変調された信号である。ＴＳは、ＴＳパケットヘッダとＴＳデータからなるＴＳパケット（データ長＝１８８バイト）が多数集まって構成されている。ＴＳパケットヘッダは、ＴＳパケットの種類を識別するためのパケットＩＤ番号やパケットの性質を規定する情報が設定されている。ＴＳデータは、アダプテーションフィールドまたは／およびペイロードからなる。アダプテーションフィールドは、システムクロックの変更等の個別ストリームに関する付属情報やＴＳパケットのデータ長を１８８バイトに調整するための無効データが格納されている。ペイロードは、セクションまたはＰＥＳ[Packetized Elementary Stream]パケットが格納されている。セクションは、ＴＳパケットに収容する際に使用されるシンタックス構造である。ＰＥＳパケットは、ＰＥＳパケットヘッダとＰＥＳデータからなる。ＰＥＳパケットヘッダは、先頭開始コード、ストリームＩＤ、パケット長やＣＲＣ[Cyclic Redundancy Check]フラグ等が設定されている。ＰＥＳデータは、映像や音声等の個別ストリームが分割されて格納されている。映像や音声等の個別ストリームは、同一のパケットＩＤ番号を持つ複数のＴＳパケットのペイロードに分割されて格納されている。映像、音声等の個別ストリームは、音楽、ニュース、スポーツ、ドラマ等のコンテンツのアナログデータを圧縮符号化した符号化ストリームである。ちなみに、ＣＲＣフラグは、受信されているデータにエラーがないかどうかを調べるためのフラグである。
【００１９】
なお、移動体受信端末１は、数秒程度（出力時間換算）のデジタル放送信号ＤＳ（ＴＳパケット）を一時的に記憶しておくバッファを備えており、このバッファリングしたＴＳパケットによりコンテンツを出力している。そのため、スポーツやニュース等のコンテンツを生放送している場合でも、移動体受信端末１では、数秒遅れてコンテンツを出力している。
【００２０】
第１の実施の形態について説明する。
最初に、図２を参照して、コンテンツ配信局２Ａの内部構成について説明する。図２は、第１の実施の形態に係る移動体受信端末１Ａおよびコンテンツ配信局２Ａの内部構成図である。
【００２１】
コンテンツ配信局２Ａは、主に、コンテンツＤＢ２００、電子番組表ＤＢ２０１、デジタル放送番組管理部２０２、デジタル放送送信部２０３から構成されている。そのために、コンテンツ配信局２Ａは、図示しない配信サーバ、各種回路、記憶装置、送信アンテナ等を備えている。
【００２２】
コンテンツＤＢ２００について説明する。
コンテンツＤＢ２００は、ハードディスク装置等に構成され、番組のコンテンツデータ（圧縮符号化されたデジタルデータ）および番組情報を格納している。その番組情報としては、番組名、放送日、放送開始時刻と終了時刻、番組のジャンル、番組の出演者等である。
【００２３】
電子番組表ＤＢ２０１について説明する。
電子番組表ＤＢ２０１は、ハードディスク装置等に構成され、電子番組表のデータ（圧縮符号化されたデジタルデータ）を格納している。電子番組表は、番組プログラムに従って作成され、例えば、図６に示すように、チャンネル毎に時系列で番組情報が示されたものであり、番組情報としては放送開始時刻と終了時刻、番組名、番組の出演者、番組のジャンル等である。図６は、電子番組表の例である。
【００２４】
デジタル放送番組管理部２０２について説明する。
デジタル放送番組管理部２０２は、編成された番組プログラムに従って電子番組表を作成するとともに、作成した電子番組表を電子番組表ＤＢに格納する。また、デジタル放送番組管理部２０２は、番組プログラムに従って制作された番組コンテンツのアナログデータを圧縮符号化し、この圧縮符号化したデジタルのコンテンツデータおよびその番組情報をコンテンツＤＢ２００に格納する。さらに、デジタル放送番組管理部２０２は、番組プログラムに従ってコンテンツＤＢ２００に格納されている番組のコンテンツを選択し、圧縮符号化された個別ストリーム（コンテンツデータ）を複数のＰＥＳパケットに分割する。また、デジタル放送番組管理部２０２は、電子番組表ＤＢ２０１に格納されている電子番組表を抽出し、圧縮符号化された個別ストリーム（電子番組表のデータ）を複数のＰＥＳパケットに分割する。そして、デジタル放送番組管理部２０２は、多数のコンテンツのＰＥＳパケットおよび電子番組表のＰＥＳパケットを多重化してＴＳを生成する。
【００２５】
デジタル放送送信部２０３について説明する。
デジタル放送送信部２０３は、デジタル放送番組管理部２０２で生成されたＴＳを衛星放送または地上波放送に適したデジタル放送信号ＤＳに変調する。そして、デジタル放送送信部２０３は、前記した送信アンテナを備えており、このデジタル放送信号ＤＳを送信アンテナにより人工衛星ＡＳあるいは電波塔ＲＴに送信する（図１参照）。
【００２６】
次に、図２を参照して、移動体受信端末１Ａの内部構成について説明する。
【００２７】
移動体受信端末１Ａは、主に、お好み番組蓄積ＤＢ１００、デジタル放送受信部１０１、番組コンテンツ取得部１０２、電子番組表取得部１０３、お好み番組登録部１０４、登録お好み番組情報記憶部１０５、瞬断検出部１０６、お好み番組抽出部１０７、蓄積番組管理部１０８、再生切替部１０９、オーディオ再生部１１０から構成されている。そのために、移動体受信端末１Ａは、図示しないＭＰＵ[Micro Processing Unit]、ＲＡＭ[Random Access Memory]、各種回路、記憶装置、受信アンテナ、ユーザインターフェース（操作部）およびスピーカ１１１、ディスプレイ１１２等を備えている。
なお、第１の実施の形態では、お好み番組蓄積ＤＢ１００が特許請求の範囲に記載のコンテンツ蓄積手段に相当し、瞬断検出部１０６が特許請求の範囲に記載の受信状態検出手段に相当し、再生切替部１０９が特許請求の範囲に記載の切替手段に相当し、電子番組表取得部１０３が特許請求の範囲に記載の電子番組表取得手段に相当し、お好み番組登録部１０４が特許請求の範囲に記載の番組登録手段に相当し、登録お好み番組情報記憶部１０５が特許請求の範囲に記載の番組情報記憶手段に相当し、お好み番組抽出部１０７および蓄積番組管理部１０８が特許請求の範囲に記載の番組抽出手段に相当する。
【００２８】
お好み番組蓄積ＤＢ１００について説明する。
お好み番組蓄積ＤＢ１００は、ハードディスク装置等に構成され、ドライバ（あるいは、同乗者）が選択したお好みの番組のコンテンツデータおよび番組情報を格納している。具体的には、図３に示すように、番組名、放送日、放送開始時刻と終了時刻、ジャンル、出演者、優先度、番組のコンテンツデータである。優先度は、お好み番組蓄積ＤＢ１００に蓄積されている番組を再生する際の優先度であり、お好み番組を選択した人が設定してもよいし、移動体受信端末１Ａが蓄積した順等により設定してもよい。図３は、移動体受信端末１Ａのお好み番組蓄積ＤＢ１００のデータ構成図である。
【００２９】
デジタル放送受信部１０１について説明する。
デジタル放送受信部１０１は、前記した受信アンテナを備えており、人工衛星ＡＳあるいは電波塔ＲＴから放送されるデジタル放送信号ＤＳを受信アンテナにより受信する（図１参照）。そして、デジタル放送受信部１０１は、受信したデジタル放送信号ＤＳを増幅し、さらにＴＳに変調する。
【００３０】
番組コンテンツ取得部１０２について説明する。
番組コンテンツ取得部１０２は、デジタル放送受信部１０１で変調されたＴＳから各ＴＳパケットのパケットＩＤ番号を取り出すとともに、各ＰＥＳパケットのストリームＩＤを取り出す。そして、番組コンテンツ取得部１０２は、取り出したストリームＩＤの中からドライバ（あるいは、同乗者）が現在選択している番組に該当するストリームＩＤを検索する。ちなみに、ドライバ（あるいは、同乗者）が現在選択している番組は、移動体受信端末１Ａで選択されているチャンネルで現在放送されている番組のことである。続いて、番組コンテンツ取得部１０２は、検索したストリームＩＤのＴＳパケットのパケットＩＤ番号に基づいて、このパケットＩＤ番号を有するＴＳパケットをＴＳの中から全て抽出していく。さらに、番組コンテンツ取得部１０２は、抽出したＴＳパケットのＰＥＳパケットのＰＥＳデータを順次繋げていき、番組コンテンツデータを順次生成していく。
【００３１】
電子番組表取得部１０３について説明する。
電子番組表取得部１０３は、デジタル放送受信部１０１で変調されたＴＳから各ＴＳパケットのパケットＩＤ番号を取り出すとともに、各ＰＥＳパケットのストリームＩＤを取り出す。そして、電子番組表取得部１０３は、取り出したストリームＩＤの中から電子番組表に該当するストリームＩＤを抽出する。続いて、電子番組表取得部１０３は、抽出したストリームＩＤのＴＳパケットのパケットＩＤ番号に基づいて、このパケットＩＤ番号を有するＴＳパケットをＴＳの中から全て抽出していく。さらに、電子番組表取得部１０３は、抽出したＴＳパケットのＰＥＳパケットのＰＥＳデータを繋げていき、電子番組表を順次生成していく。
【００３２】
お好み番組登録部１０４について説明する。
お好み番組登録部１０４は、前記したユーザインターフェース（操作部）およびディスプレイ１１２を備えており、ドライバ（あるいは、同乗者）がお好みの番組の情報を登録することができる。お好み番組登録部１０４は、ユーザインターフェースのお好み番組登録ボタン（図示せず）が押されると、お好み番組登録ボタン１０４ａ１を有するお好み番組登録初期画面１０４ａをディスプレイ１１２に表示する（図８参照）。そして、お好み番組登録初期画面１０４ａでお好み番組登録ボタン１０４ａ１が押されると、お好み番組登録部１０４は、お好み番組ボタン１０４ｂ１、お好みジャンルボタン１０４ｂ２、お好み歌手ボタン１０４ｂ３およびキャンセルボタン１０４ｂ４を有するお好み番組選択画面１０４ｂをディスプレイ１１２に表示する（図８参照）。図８は、移動体受信端末１Ａのディスプレイ１１２に表示されるお好み番組の登録画面および画面遷移の例１である。
【００３３】
さらに、お好み番組選択画面１０４ｂでお好み番組ボタン１０４ｂ１が押されると、お好み番組登録部１０４は、現在登録されているお好み番組名（図８の例では、（１）朝の歌謡リクエスト等）を示した登録番組名エリア１０４ｃ１と登録モードボタン１０４ｃ２、キャンセルボタン１０４ｃ３を有するお好み番組確認画面１０４ｃをディスプレイ１１２に表示する（図８参照）。そして、お好み番組確認画面１０４ｃで登録モードボタン１０４ｃ２が押されると、お好み番組登録部１０４は、お好み番組登録エリア１０４ｄ１と登録完了ボタン１０４ｄ２、追加登録ボタン１０４ｄ３、キャンセルボタン１０４ｄ４を有するお好み番組登録画面１０４ｄをディスプレイ１１２に表示する（図８参照）。お好み番組登録エリア１０４ｄ１にお好みの番組（図８の例では、夕方の歌謡リクエスト）が入力され、さらに追加登録ボタン１０４ｄ３が押されると、お好み番組登録部１０４は、お好み番組登録エリア１０４ｄ１に入力されている番組を電子番組表から検索し、その番組の情報を電子番組表を利用して登録お好み番組情報記憶部１０５に記憶する。なお、お好み番組登録エリア１０４ｄ１には、電子番組表を利用して、番組を選択できるように表示してもよい。
【００３４】
また、お好み番組選択画面１０４ｂでお好みジャンルボタン１０４ｂ２が押されると（図８参照）、お好み番組登録部１０４は、現在登録されているジャンル（図９の例では、登録なし）を示した登録ジャンルエリア１０４ｅ１と登録モードボタン１０４ｅ２、キャンセルボタン１０４ｅ３を有するお好みジャンル確認画面１０４ｅをディスプレイ１１２に表示する（図９参照）。そして、お好みジャンル確認画面１０４ｅで登録モードボタン１０４ｅ２が押されると、お好み番組登録部１０４は、お好みジャンル登録エリア１０４ｆ１と登録完了ボタン１０４ｆ２、追加登録ボタン１０４ｆ３、キャンセルボタン１０４ｆ４を有するお好みジャンル登録画面１０４ｆをディスプレイ１１２に表示する（図９参照）。お好みジャンル登録エリア１０４ｆ１にお好みのジャンル（図９の例では、音楽）が入力され、さらに追加登録ボタン１０４ｆ３が押されると、お好み番組登録部１０４は、お好みジャンル登録エリア１０４ｆ１に入力されているジャンルの番組を電子番組表から検索し、検索した番組の情報を電子番組表を利用して登録お好み番組情報記憶部１０５に記憶する。なお、お好みジャンル登録エリア１０４ｆ１には、ジャンルを選択できるように表示してもよい。図９は、移動体受信端末１Ａのディスプレイ１１２に表示されるお好み番組の登録画面および画面遷移の例２である。
【００３５】
また、お好み番組選択画面１０４ｂでお好み歌手ボタン１０４ｂ３が押されると（図８参照）、お好み番組登録部１０４は、現在登録されている歌手名（図１０の例では、登録なし）を示した登録歌手エリア１０４ｇ１と登録モードボタン１０４ｇ２、キャンセルボタン１０４ｇ３を有するお好み歌手確認画面１０４ｇをディスプレイ１１２に表示する（図１０参照）。そして、お好み歌手確認画面１０４ｇで登録モードボタン１０４ｇ２が押されると、お好み番組登録部１０４は、お好み歌手登録エリア１０４ｈ１と登録完了ボタン１０４ｈ２、追加登録ボタン１０４ｈ３、キャンセルボタン１０４ｈ４を有するお好み歌手登録画面１０４ｈをディスプレイ１１２に表示する（図１０参照）。お好み歌手登録エリア１０４ｈ１にお好みの歌手名（図１０の例では、歌田ひかり）が入力され、さらに追加登録ボタン１０４ｈ３が押されると、お好み番組登録部１０４は、お好み歌手登録エリア１０４ｈ１に入力されている歌手が出演している番組を電子番組表から検索し、検索した番組の情報を電子番組表を利用して登録お好み番組情報記憶部１０５に記憶する。なお、お好み歌手登録エリア１０４ｈ１には、電子番組表を利用して、歌手を選択できるように表示してもよい。図１０は、移動体受信端末１Ａのディスプレイ１１２に表示されるお好み番組の登録画面および画面遷移の例３である。
【００３６】
登録お好み番組情報記憶部１０５について説明する。
登録お好み番組情報記憶部１０５は、ＥＥＰＲＯＭ[Electrically Erasable Programmable Read Only Memory]を備えており、お好み番組登録部１０４で登録された番組、ジャンル、歌手の番組の情報を記憶する。登録する番組の情報としては、番組が登録された場合にはその番組の番組名、放送日、放送開始時刻と終了時刻、ジャンル、出演者等であり、ジャンルが登録された場合にはそのジャンルに該当する番組の番組名、放送日、放送開始時刻と終了時刻、出演者等であり、歌手が登録された場合にはその歌手が出演する番組の番組名、放送日、放送開始時刻と終了時刻、ジャンル等である。
【００３７】
瞬断検出部１０６について説明する。
瞬断検出部１０６は、デジタル放送信号ＤＳを正常に受信できるか否かを検出する。そのために、瞬断検出部１０６は、デジタル放送受信部１０１で変調されたＴＳの各ＴＳパケットのＰＥＳパケットのＣＲＣフラグに基づいて、取得したＰＥＳデータのエラーをチェックし、エラーがある場合にはデジタル放送信号ＤＳを正常に受信できないと判定し、エラーがない場合にはデジタル放送信号ＤＳを正常に受信できると判定する。
【００３８】
お好み番組抽出部１０７について説明する。
お好み番組抽出部１０７は、ドライバ（あるいは、同乗者）が選択したお好み番組をデジタル放送信号ＤＳによるＴＳの中から抽出する。そのために、お好み番組抽出部１０７は、デジタル放送受信部１０１で変調されたＴＳから各ＴＳパケットのパケットＩＤ番号を取り出すとともに、各ＰＥＳパケットのストリームＩＤを取り出す。そして、お好み番組抽出部１０７は、取り出したストリームＩＤの中から登録お好み番組情報記憶部１０５に記憶されている番組のストリームＩＤを検索する。同一のストリームＩＤを検索できた場合、お好み番組抽出部１０７は、検索したストリームＩＤのＴＳパケットのパケットＩＤ番号に基づいて、このパケットＩＤ番号を有するＴＳパケットをＴＳの中から全て抽出していく。さらに、お好み番組抽出部１０７は、抽出したＴＳパケットのＰＥＳパケットのＰＥＳデータを順次繋げていき、番組コンテンツデータを順次生成していく。
【００３９】
蓄積番組管理部１０８について説明する。
蓄積番組管理部１０８は、お好み番組抽出部１０７で番組コンテンツデータを抽出する毎に、お好み番組蓄積ＤＢ１００の空き領域に格納エリアを確保し、その格納エリアに番組コンテンツデータとその番組情報を蓄積する。また、蓄積番組管理部１０８は、お好み番組蓄積ＤＢ１００の使用容量を確認し、番組コンテンツを新たに格納するとお好み番組蓄積ＤＢ１００の全容量を越える場合には蓄積している番組コンテンツを優先度の低い順あるいは蓄積した古い順に削除する。
【００４０】
再生切替部１０９について説明する。
再生切替部１０９は、デジタル放送信号ＤＳの受信状態に応じて、音声出力するコンテンツを切り替える。そのために、瞬断検出部１０６でデジタル放送信号ＤＳを正常に受信できると判定している場合、再生切替部１０９は、番組コンテンツ取得部１０２で取得した番組のコンテンツを音声出力するコンテンツとする。一方、瞬断検出部１０６でデジタル放送信号ＤＳを正常に受信できないと判定した場合、再生切替部１０９は、お好み番組蓄積ＤＢ１００に蓄積されている番組のコンテンツの中で優先度の順に番組のコンテンツデータを取り出し、このコンテンツデータを音声出力するコンテンツに切り替える。そして、再生切替部１０９は、蓄積している番組コンテンツを音声出力するときには、ドライバ等にその情報を知らせるために、蓄積番組への再生切替お知らせ画面１０９ａをディスプレイ１１２に表示する（図７参照）。図７は、移動体受信端末１Ａのディスプレイ１１２に表示される蓄積番組への再生切替のお知らせ画面である。
【００４１】
オーディオ再生部１１０について説明する。
オーディオ再生部１１０は、再生切替部１０９で音声出力すると決定した番組のコンテンツデータをアナログデータに変換し、このアナログデータの番組コンテンツを再生してスピーカ１１１から音声出力する。
【００４２】
次に、図１、図２、図３、図６、図７、図８、図９および図１０を参照して、移動体受信端末１Ａおよびコンテンツ配信局２Ａにおけるメイン処理を図４のフローチャートに沿って説明する。図４は、移動体受信端末１Ａおよびコンテンツ配信局２Ａにおけるメイン処理のフローチャートである。
【００４３】
コンテンツ配信局２Ａでは、番組プログラムが作成され、その番組プログラムの番組が制作される。そして、コンテンツ配信局２Ａでは、この制作した番組のコンテンツデータをコンテンツＤＢ２００に格納している。また、コンテンツ配信局２Ａでは、番組プログラムに対応した電子番組表を作成し、電信番組表のデータを電子番組表ＤＢ２０１に格納している。
【００４４】
そして、コンテンツ配信局２Ａでは、番組プログラムに従って番組コンテンツを、コンテンツＤＢ２００から選択し（Ｓ１０）、番組コンテンツの個別ストリームを複数のＰＥＳパケットに分割する（Ｓ１１）。
【００４５】
また、コンテンツ配信局２Ａでは、電子番組表ＤＢ２０１に格納されている電子番組表を抽出し、電子番組表の個別ストリームを複数のＰＥＳパケットに分割する（Ｓ１２）。
【００４６】
続いて、コンテンツ配信局２Ａでは、多数のコンテンツのＰＥＳパケットおよび電子番組表のＰＥＳパケットを多重化してＴＳを生成し、このＴＳを衛星放送または地上波放送に適したデジタル放送信号ＤＳに変調し、さらにこのデジタル放送信号ＤＳを送信アンテナにより人工衛星ＡＳあるいは電波塔ＲＴに送信する（Ｓ１３）。そして、コンテンツ配信局２Ａでは、Ｓ１３の処理が終了すると、Ｓ１０に戻って処理を繰り返し実行する。
【００４７】
一方、移動体受信端末１Ａでは、人工衛星ＡＳあるいは電波塔ＲＴから放送される多数のコンテンツからなるデジタル放送信号ＤＳを受信する（Ｓ２０）。
【００４８】
そして、移動体受信端末１Ａでは、デジタル放送信号ＤＳをＴＳに変換した後、各ＴＳパケットに含まれるＰＥＳパケットのＣＲＣフラグに基づいて、ＰＥＳパケットを取りこぼしているか否かを判定する（Ｓ２１）。
【００４９】
Ｓ２１の判定でＰＥＳパケットを取りこぼしていると判定した場合、移動体受信端末１Ａでは、デジタル放送信号ＤＳを正常に受信できていないと判定し、お好み番組蓄積ＤＢ１００に蓄積されている番組のコンテンツの中で優先度の順に番組のコンテンツデータを取り出す。そして、移動体受信端末１Ａでは、取り出したコンテンツデータをアナログデータに変換し、このアナログデータの番組コンテンツを再生してスピーカ１１１から音声出力する（Ｓ２２）。このとき、移動体受信端末１Ａでは、瞬断検出と蓄積番組への再生切替お知らせ画面１０９ａをディスプレイ１１２に表示する（図７参照）。
【００５０】
そして、移動体受信端末１Ａでは、Ｓ２２で再生している番組のコンテンツの音声出力が終了するか否かを判定し（Ｓ２３）、終了するまでＳ２２の処理を継続し、終了した場合にはＳ２０の処理に戻る。
【００５１】
一方、Ｓ２１の判定でＰＥＳパケットを取りこぼしていないと判定した場合、移動体受信端末１Ａでは、デジタル放送信号ＤＳを正常に受信できると判定する。そして、移動体受信端末１Ａでは、デジタル放送信号ＤＳによるＴＳから電子番組表を取得する（Ｓ２４）。
【００５２】
さらに、移動体受信端末１Ａでは、デジタル放送信号ＤＳによるＴＳからドライバ（あるいは、同乗者）が現在選択している番組（チャンネル）のコンテンツデータを取得し（Ｓ２５）、この取得した番組のコンテンツデータをアナログデータに変換し、このアナログデータの番組コンテンツを再生してスピーカ１１１から音声出力する（Ｓ２６）。
【００５３】
また、移動体受信端末１Ａでは、デジタル放送信号ＤＳによるＴＳにおいて登録お好み番組情報記憶部１０５に記憶されている番組があるか否かを検索し、該当する番組がある場合にはＴＳから番組のコンテンツデータを抽出し、抽出したコンテンツデータおよびその番組情報をお好み番組蓄積ＤＢ１００に蓄積する（Ｓ２７）。さらに、移動体受信端末１Ａでは、お好み番組蓄積ＤＢ１００の使用容量をチェックし、容量が越える場合には優先度の低い順から番組のコンテンツデータおよびその番組情報をお好み番組蓄積ＤＢ１００から削除する（Ｓ２８）。そして、移動体受信端末１Ａでは、Ｓ２８の処理が終了すると、Ｓ２０の処理に戻って処理を繰り返し実行する。
【００５４】
次に、図１、図２、図３、図６、図７、図８、図９および図１０を参照して、移動体受信端末１Ａにおけるお好み番組抽出処理を図５のフローチャートに沿って説明する。図５は、移動体受信端末１Ａにおけるお好み番組抽出処理のフローチャートである。
【００５５】
移動体受信端末１Ａでは、ドライバ（あるいは、同乗者）によって、お好みの番組コンテンツを蓄積しておくために、お好みの番組、ジャンルあるいは歌手が登録されており、その情報を登録お好み番組情報記憶部１０５に記憶している。
【００５６】
移動体受信端末１Ａでは、前記したＳ２４の処理と同様に、デジタル放送信号ＤＳによるＴＳから電子番組表を取得する（Ｓ３０）。そして、移動体受信端末１Ａでは、ドライバ（あるいは、同乗者）がお好みのジャンルや歌手を登録している場合、電子番組表からそのジャンルに該当する番組あるいはその歌手が出演する番組を検索し（Ｓ３１）、その情報を登録お好み番組情報記憶部１０５に記憶する。
【００５７】
さらに、移動体受信端末１Ａでは、登録お好み番組情報記憶部１０５に記憶されている情報に基づいて、デジタル放送信号ＤＳによるＴＳの中に、ドライバ（あるいは、同乗者）が登録した番組あるいは登録したジャンルや歌手に該当する番組があるか否かを判定する（Ｓ３２）。Ｓ３２の判定で番組がないと判定した場合には、お好み番組抽出処理を終了する。一方、Ｓ３２の判定で番組があると判定した場合、移動体受信端末１Ａでは、ＴＳから該当する番組のコンテンツデータを抽出し、抽出した番組のコンテンツデータおよびその番組情報をお好み番組蓄積ＤＢ１００に蓄積する（Ｓ３３）。
【００５８】
この移動体受信端末１Ａによれば、自動車で走行中にトンネルに入ったりあるいはビルの影に入ったりしてデジタル放送信号ＤＳを正常に受信できなくなった場合でも、予め蓄積してあるお好みの番組のコンテンツを音声出力することができるので、音声出力が途切れない。また、この移動体受信端末１Ａによれば、ドライバ（あるいは、同乗者）がお好みの番組、ジャンルあるいは歌手を登録することができ、その登録した情報に基づいて該当する番組のコンテンツを蓄積し、再生することができる。
【００５９】
次に、第２の実施の形態について説明する。
最初に、図１１を参照して、コンテンツ配信局２Ｂの内部構成について説明する。なお、コンテンツ配信局２Ｂの内部構成では、第１の実施の形態のコンテンツ配信局２Ａと同様の内部構成について同じ符号を付し、その説明を省略する。図１１は、第２の実施の形態に係る移動体受信端末１Ｂおよびコンテンツ配信局２Ｂの内部構成図である。
【００６０】
コンテンツ配信局２Ｂは、主に、コンテンツＤＢ２００、コンテンツＩＤＤＢ２０４、コンテンツＩＤ付加部２０５、デジタル放送番組管理部２０２、デジタル放送送信部２０３から構成されている。そのために、コンテンツ配信局２Ｂは、図示しない配信サーバ、各種回路、記憶装置、送信アンテナ等を備えている。第２の実施の形態では、第１の実施の形態では述べなかったが、番組のコンテンツの中で流される音楽コンテンツに着目している。デジタル放送される音楽コンテンツは、図１５に示すように音楽コンテンツデータとともにコンテンツＩＤを含んでおり、コンテンツＩＤによって識別可能である。コンテンツＩＤは、各音楽コンテンツ毎に付与されるユニークな識別ＩＤである。図１５は、デジタル放送される音楽コンテンツの構成図である。
【００６１】
コンテンツＩＤＤＢ２０４について説明する。
コンテンツＩＤＤＢ２０４は、ハードディスク装置等に構成され、音楽コンテンツに付与されたコンテンツＩＤに関する情報を格納している。その情報としては、コンテンツＩＤ、曲名、歌手名またはグループ名、演奏時間、その音楽コンテンツが流れる番組名等である。
【００６２】
コンテンツＩＤ付加部２０５について説明する。
コンテンツＩＤ付加部２０５は、番組コンテンツで流す音楽コンテンツのコンテンツデータに、音楽コンテンツ毎に付与されているコンテンツＩＤを付加する。
【００６３】
なお、コンテンツＤＢ２００は、第１の実施の形態と同様のＤＢであるが、番組のコンテンツの中には音楽コンテンツを含んでおり、格納される番組情報の中にはその音楽コンテンツの情報も含んでいる。また、コンテンツＩＤは、音楽コンテンツのアナログデータが圧縮符号化された場合にはその個別ストリームに含まれているので、ＴＳのＰＥＳパケットのＰＥＳデータの中に格納されている。
【００６４】
次に、図１１を参照して、移動体受信端末１Ｂの内部構成について説明する。なお、移動体受信端末１Ｂの内部構成では、第１の実施の形態の移動体受信端末１Ａと同様の内部構成について同じ符号を付し、その説明を省略する。
【００６５】
移動体受信端末１Ｂは、主に、お好み音楽蓄積ＤＢ１１３、デジタル放送受信部１０１、番組コンテンツ取得部１０２、コンテンツＩＤ抽出部１１４、お好み音楽コンテンツＩＤ登録部１１５、登録お好み音楽コンテンツＩＤ記憶部１１６、瞬断検出部１０６、お好み音楽抽出部１１７、蓄積音楽管理部１１８、再生切替部１１９、オーディオ再生部１１０から構成されている。そのために、移動体受信端末１Ｂは、図示しないＭＰＵ、ＲＡＭ、各種回路、記憶装置、受信アンテナ、ユーザインターフェース（操作部）およびスピーカ１１１、ディスプレイ１１２等を備えている。
なお、第２の実施の形態では、お好み音楽蓄積ＤＢ１１３が特許請求の範囲に記載のコンテンツ蓄積手段に相当し、瞬断検出部１０６が特許請求の範囲に記載の受信状態検出手段に相当し、再生切替部１１９が特許請求の範囲に記載の切替手段に相当し、コンテンツＩＤ抽出部１１４が特許請求の範囲に記載のコンテンツＩＤ取得手段に相当し、お好み音楽コンテンツＩＤ登録部１１５が特許請求の範囲に記載のコンテンツＩＤ登録手段に相当し、登録お好み音楽コンテンツＩＤ記憶部１１６が特許請求の範囲に記載のコンテンツＩＤ記憶手段に相当し、お好み音楽抽出部１１７および蓄積音楽管理部１１８が特許請求の範囲に記載のコンテンツ抽出手段に相当する。
【００６６】
お好み音楽蓄積ＤＢ１１３について説明する。
お好み音楽蓄積ＤＢ１１３は、ハードディスク装置等に構成され、ドライバ（あるいは、同乗者）が選択したお好みの音楽コンテンツのコンテンツデータおよびコンテンツ情報を格納している。具体的には、図１２に示すように、コンテンツＩＤ、曲名、歌手名またはグループ名、演奏時間、蓄積した日、蓄積した時刻、コンテンツデータである。図１２は、移動体受信端末１Ｂのお好み音楽蓄積ＤＢ１１３のデータ構成図である。
【００６７】
コンテンツＩＤ抽出部１１４について説明する。
コンテンツＩＤ抽出部１１４は、デジタル放送受信部１０１で変調されたＴＳから各ＰＥＳパケットを取り出し、ＰＥＳパケットのＰＥＳデータの中から音楽コンテンツのコンテンツＩＤを抽出する。
【００６８】
お好み音楽コンテンツＩＤ登録部１１５について説明する。
お好み音楽コンテンツＩＤ登録部１１５は、前記したユーザインターフェース（操作部）およびディスプレイ１１２を備えており、ドライバ（あるいは、同乗者）がお好みの音楽コンテンツのコンテンツＩＤを登録することができる。お好み音楽コンテンツＩＤ登録部１１５は、ユーザインターフェースのお好み音楽登録ボタン（図示せず）が押されると、お好み音楽登録ボタン１１５ａ１を有するお好み音楽登録初期画面１１５ａをディスプレイ１１２に表示する（図１７参照）。そして、お好み音楽登録初期画面１１５ａでお好み音楽登録ボタン１１５ａ１が押されると、現在登録されているお好み音楽コンテンツのコンテンツＩＤ（図１７の例では、（１）０１５３−２２２２−１１１１−５５５５等）を示した登録コンテンツＩＤエリア１１５ｂ１と登録モードボタン１１５ｂ２、キャンセルボタン１１５ｂ３を有するお好み音楽確認画面１１５ｂをディスプレイ１１２に表示する（図１７参照）。そして、お好み音楽確認画面１１５ｂで登録モードボタン１１５ｂ２が押されると、お好み音楽コンテンツＩＤ登録部１１５は、お好み音楽コンテンツＩＤ登録エリア１１５ｃ１と登録完了ボタン１１５ｃ２、追加登録ボタン１１５ｃ３、キャンセルボタン１１５ｃ４を有するお好み音楽登録画面１１５ｃをディスプレイ１１２に表示する（図１７参照）。お好み音楽コンテンツＩＤ登録エリア１１５ｃ１にお好みの音楽コンテンツのコンテンツＩＤ（図１７の例では、０１５２−２２２２−５５５５−１１１１）が入力され、さらに追加登録ボタン１１５ｃ３が押されると、お好み音楽コンテンツＩＤ登録部１１５は、お好み音楽コンテンツＩＤ登録エリア１１５ｃ１に入力されているコンテンツＩＤを登録お好み音楽コンテンツＩＤ情報記憶部１１６に記憶させる。なお、登録お好み音楽コンテンツＩＤ情報記憶部１１６には、コンテンツＩＤだけでなく、そのコンテンツＩＤに該当する音楽コンテンツの曲名、歌手名またはグループ名等を記憶させてもよい。図１７は、移動体受信端末１Ｂのディスプレイ１１２に表示されるお好み音楽の登録画面および画面遷移の例である。
【００６９】
登録お好み音楽コンテンツＩＤ記憶部１１６について説明する。
登録お好み音楽コンテンツＩＤ記憶部１１６は、ＥＥＰＲＯＭを備えており、お好み音楽コンテンツＩＤ登録部１１５で登録されたコンテンツＩＤを記憶する。前記したように、コンテンツＩＤに加えて、曲名、歌手名またはグループ名等を記憶させてもよい。
【００７０】
お好み音楽抽出部１１７について説明する。
お好み音楽抽出部１１７は、ドライバ（あるいは、同乗者）が選択したコンテンツＩＤの音楽コンテンツをデジタル放送信号ＤＳのＴＳの中から抽出する。そのために、お好み音楽抽出部１１７は、コンテンツＩＤ抽出部１１４で抽出したコンテンツＩＤの中から登録お好み音楽コンテンツＩＤ記憶部１１６に記憶されているコンテンツＩＤを検索する。同一のコンテンツＩＤを検索できた場合、お好み音楽抽出部１１７は、検索したコンテンツＩＤのＴＳパケットのパケットＩＤ番号に基づいて、このパケットＩＤ番号を有するＴＳパケットをＴＳの中から全て抽出していく。さらに、お好み音楽抽出部１１７は、抽出したＴＳパケットのＰＥＳパケットのＰＥＳデータを順次繋げていき、音楽コンテンツデータを順次生成していく。
【００７１】
蓄積音楽管理部１１８について説明する。
蓄積音楽管理部１１８は、お好み音楽抽出部１１７で音楽コンテンツデータを抽出する毎に、お好み音楽蓄積ＤＢ１１３の空き領域に格納エリアを確保し、その格納エリアに音楽コンテンツデータとその音楽コンテンツの情報を蓄積する。また、蓄積音楽管理部１１８は、お好み音楽蓄積ＤＢ１１３の使用容量を確認し、音楽コンテンツを新たに格納するとお好み音楽蓄積ＤＢ１１３の全容量を越える場合には蓄積している音楽コンテンツを蓄積した古い順に削除する。
【００７２】
再生切替部１１９について説明する。
再生切替部１１９は、デジタル放送信号ＤＳの受信状態に応じて、音声出力するコンテンツを切り替える。そのために、瞬断検出部１０６でデジタル放送信号ＤＳを正常に受信できると判定している場合、再生切替部１１９は、番組コンテンツ取得部１０２で取得した番組のコンテンツを音声出力するコンテンツとする。一方、瞬断検出部１０６でデジタル放送信号ＤＳを正常に受信できないと判定した場合、再生切替部１１９は、お好み音楽蓄積ＤＢ１１３に蓄積されている音楽コンテンツの中で蓄積した新しい順に音楽コンテンツデータを取り出し、このコンテンツデータを音声出力するコンテンツに切り替える。そして、再生切替部１１９は、蓄積している音楽コンテンツを音声出力するときには、ドライバ等にその情報を知らせるために、蓄積音楽への再生切替お知らせ画面１１９ａをディスプレイ１１２に表示する（図１６参照）。図１６は、移動体受信端末１Ｂのディスプレイ１１２に表示される蓄積音楽への再生切替のお知らせ画面である。
【００７３】
次に、図１、図１１、図１２、図１５、図１６および図１７を参照して、移動体受信端末１Ｂおよびコンテンツ配信局２Ｂにおけるメイン処理を図１３のフローチャートに沿って説明する。図１３は、移動体受信端末１Ｂおよびコンテンツ配信局２Ｂにおけるメイン処理のフローチャートである。
【００７４】
コンテンツ配信局２Ｂでは、番組プログラムが作成され、その番組プログラムの番組が制作される。そして、コンテンツ配信局２Ｂでは、この制作した番組のコンテンツデータ（音楽コンテンツデータを含む）をコンテンツＤＢ２００に格納している。
【００７５】
そして、コンテンツ配信局２Ｂでは、番組プログラムに従って番組に流れる音楽コンテンツを、コンテンツＤＢ２００から選択する（Ｓ４０）。
【００７６】
続いて、コンテンツ配信局２Ｂでは、選択した音楽コンテンツに、コンテンツＩＤを付加する（Ｓ４１）。
【００７７】
さらに、コンテンツ配信局２Ｂでは、音楽コンテンツの個別ストリームを複数のＰＥＳパケットに分割する（Ｓ４２）。
【００７８】
続いて、コンテンツ配信局２Ｂでは、多数のコンテンツのＰＥＳパケットおよび電子番組表のＰＥＳパケットを多重化してＴＳを生成し、このＴＳを衛星放送または地上波放送に適したデジタル放送信号ＤＳに変調し、さらにこのデジタル放送信号ＤＳを送信アンテナにより人工衛星ＡＳあるいは電波塔ＲＴに送信する（Ｓ４３）。そして、コンテンツ配信局２Ｂでは、Ｓ４３の処理が終了すると、Ｓ４０に戻って処理を繰り返し実行する。
【００７９】
一方、移動体受信端末１Ｂでは、人工衛星ＡＳあるいは電波塔ＲＴから放送される多数のコンテンツからなるデジタル放送信号ＤＳを受信する（Ｓ５０）。
【００８０】
そして、移動体受信端末１Ｂでは、デジタル放送信号ＤＳをＴＳに変換した後、各ＴＳパケットに含まれるＰＥＳパケットのＣＲＣフラグに基づいて、ＰＥＳパケットを取りこぼしているか否かを判定する（Ｓ５１）。
【００８１】
Ｓ５１の判定でＰＥＳパケットを取りこぼしていると判定した場合、移動体受信端末１Ｂでは、デジタル放送信号ＤＳを正常に受信できていないと判定し、お好み音楽蓄積ＤＢ１１３に蓄積されている音楽コンテンツの中で蓄積した新しい順に音楽コンテンツデータを取り出す。そして、移動体受信端末１Ｂでは、取り出したコンテンツデータをアナログデータに変換し、このアナログデータの音楽コンテンツを再生してスピーカ１１１から音声出力する（Ｓ５２）。このとき、移動体受信端末１Ｂでは、瞬断発生と蓄積音楽への再生切替お知らせ画面１１９ａをディスプレイ１１２に表示する（図１６参照）。
【００８２】
そして、移動体受信端末１Ｂでは、Ｓ５２で再生している音楽コンテンツの音声出力が終了するか否かを判定し（Ｓ５３）、終了するまでＳ５２の処理を継続し、終了した場合にはＳ５０の処理に戻る。
【００８３】
一方、Ｓ５１の判定でＰＥＳパケットを取りこぼしていないと判定した場合、移動体受信端末１Ｂでは、デジタル放送信号ＤＳを正常に受信できると判定する。そして、移動体受信端末１Ｂでは、デジタル放送信号ＤＳによるＴＳからドライバ（あるいは、同乗者）が現在選択している番組（チャンネル）のコンテンツデータ（ひいては、音楽コンテンツデータ）を取得し（Ｓ５４）、この取得した番組のコンテンツデータ（ひいては、音楽コンテンツデータ）をアナログデータに変換し、このアナログデータの番組コンテンツ（音楽コンテンツ）を再生してスピーカ１１１から音声出力する（Ｓ５５）。
【００８４】
また、移動体受信端末１Ｂでは、デジタル放送信号ＤＳによるＴＳにおいて登録お好み音楽コンテンツＩＤ記憶部１１６に記憶されているコンテンツＩＤがあるか否かを検索し、該当するコンテンツＩＤがある場合にはＴＳからそのコンテンツＩＤの音楽コンテンツのコンテンツデータを抽出し、抽出したコンテンツデータおよびその音楽コンテンツの情報をお好み音楽蓄積ＤＢ１１３に蓄積する（Ｓ５６）。さらに、移動体受信端末１Ｂでは、お好み音楽蓄積ＤＢ１１３の使用容量をチェックし、容量が越える場合には蓄積した古い順から音楽コンテンツデータおよびその音楽コンテンツの情報をお好み音楽蓄積ＤＢ１１３から削除する（Ｓ５７）。そして、移動体受信端末１Ｂでは、Ｓ５７の処理が終了すると、Ｓ５０に戻って処理を繰り返し実行する。
【００８５】
次に、図１、図１１、図１２、図１５、図１６および図１７を参照して、移動体受信端末１Ｂにおけるお好み音楽抽出処理を図１４のフローチャートに沿って説明する。図１４は、移動体受信端末１Ｂにおけるお好み音楽抽出処理のフローチャートである。
【００８６】
移動体受信端末１Ｂでは、ドライバ（あるいは、同乗者）によって、お好みの音楽コンテンツを蓄積しておくために、その音楽コンテンツのコンテンツＩＤが登録されており、その情報を登録お好み音楽コンテンツＩＤ記憶部１１６に記憶している。まず、移動体受信端末１Ｂでは、デジタル放送信号ＤＳによるＴＳから音楽コンテンツのコンテンツＩＤを取得する（Ｓ６０）。
【００８７】
そして、移動体受信端末１Ｂでは、登録お好み音楽コンテンツＩＤ記憶部１１６に記憶されているコンテンツＩＤに基づいて、Ｓ６０で取得したコンテンツＩＤの中に、ドライバ（あるいは、同乗者）が登録したコンテンツＩＤがあるか否かを判定する（Ｓ６１）。Ｓ６１の判定でコンテンツＩＤがないと判定した場合には、お好み音楽抽出処理を終了する。一方、Ｓ６１の判定でコンテンツＩＤがあると判定した場合、移動体受信端末１Ｂでは、ＴＳから該当する音楽コンテンツのコンテンツデータを抽出し、抽出した音楽コンテンツのコンテンツデータおよびその音楽コンテンツの情報をお好み音楽蓄積ＤＢ１１３に蓄積する（Ｓ６２）。
【００８８】
この移動体受信端末１Ｂによれば、自動車で走行中にトンネルに入ったりあるいはビルの影に入ったりしてデジタル放送信号ＤＳを正常に受信できなくなった場合でも、予め蓄積してあるお好みの音楽コンテンツを音声出力することができるので、音声出力が途切れない。また、この移動体受信端末１Ｂによれば、ドライバ（あるいは、同乗者）がお好みの音楽コンテンツのコンテンツＩＤを登録することができ、その登録したコンテンツＩＤに基づいて該当する音楽コンテンツを蓄積し、再生することができる。
【００８９】
次に、第３の実施の形態について説明する。
なお、コンテンツ配信局２Ｃの内部構成は、第２の実施の形態のコンテンツ配信局２Ｂと同様の内部構成を有するので、その説明を省略する。
【００９０】
次に、図１８を参照して、移動体受信端末１Ｃの内部構成について説明する。なお、移動体受信端末１Ｃの内部構成では、第２の実施の形態の移動体受信端末１Ｂと同様の内部構成について同じ符号を付し、その説明を省略する。図１８は、第３の実施の形態に係る移動体受信端末１Ｃおよびコンテンツ配信局２Ｃの内部構成図である。
【００９１】
移動体受信端末１Ｃは、主に、最新音楽蓄積ＤＢ１２０、デジタル放送受信部１０１、番組コンテンツ取得部１０２、コンテンツＩＤ抽出部１１４、瞬断検出部１０６、同一音楽検出部１２１、蓄積音楽管理部１２２、再生切替部１２３、オーディオ再生部１１０から構成されている。そのために、移動体受信端末１Ｃは、図示しないＭＰＵ、ＲＡＭ、各種回路、記憶装置、受信アンテナ、ユーザインターフェース（操作部）およびスピーカ１１１、ディスプレイ１１２等を備えている。
なお、第３の実施の形態では、最新音楽蓄積ＤＢ１２０が特許請求の範囲に記載のコンテンツ蓄積手段に相当し、瞬断検出部１０６が特許請求の範囲に記載の受信状態検出手段に相当し、同一音楽検出部１２１が特許請求の範囲に記載の同一コンテンツ検出手段に相当し、再生切替部１２３が特許請求の範囲に記載の切替手段に相当する。
【００９２】
最新音楽蓄積ＤＢ１２０について説明する。
最新音楽蓄積ＤＢ１２０は、ハードディスク装置等に構成され、デジタル放送信号ＤＳの中に含まれる最新の音楽コンテンツのコンテンツデータおよびコンテンツ情報を格納している。具体的には、図１９に示すように、蓄積した日、蓄積した時刻、コンテンツＩＤ、曲名、歌手名またはグループ名、演奏時間、コンテンツデータである。図１９は、移動体受信端末１Ｃの最新音楽蓄積ＤＢ１２０のデータ構成図である。
【００９３】
同一音楽検出部１２１について説明する。
同一音楽検出部１２１は、デジタル放送信号ＤＳを正常に受信できない場合に、現在スピーカ１１１から音声出力している音楽コンテンツの途切れをなくすため、同一の音楽コンテンツを検出する。そのために、同一音楽検出部１２１は、最新音楽蓄積ＤＢ１２０のコンテンツＩＤの中から、現在スピーカ１１１から音声出力している音楽コンテンツ（番組コンテンツ取得部１０２で取得した番組で流れている音楽コンテンツ）のコンテンツＩＤと同一のコンテンツＩＤを検索する。そして、同一音楽検出部１２１は、同一のコンテンツＩＤがある場合には、そのコンテンツＩＤの対応するコンテンツデータを最新音楽蓄積ＤＢ１２０から抽出する。
【００９４】
蓄積音楽管理部１２２について説明する。
蓄積音楽管理部１２２は、デジタル放送信号ＤＳの受信に応じて、最新の音楽コンテンツを蓄積する。そのために、蓄積音楽管理部１２２は、デジタル放送受信部１０１で変調されたＴＳから各ＰＥＳパケットを取り出し、ＰＥＳパケットのＰＥＳデータの中から音楽コンテンツのコンテンツＩＤおよびコンテンツデータを抽出する。そして、蓄積音楽管理部１２２は、音楽コンテンツデータを抽出する毎に、最新音楽蓄積ＤＢ１２０の空き領域に格納エリアを確保し、その格納エリアに音楽コンテンツデータとその音楽コンテンツの情報を蓄積する。また、蓄積音楽管理部１２２は、最新音楽蓄積ＤＢ１２０の使用容量を確認し、音楽コンテンツを新たに格納すると最新音楽蓄積ＤＢ１２０の全容量を越える場合には蓄積している音楽コンテンツを蓄積した古い順に削除する。
【００９５】
再生切替部１２３について説明する。
再生切替部１２３は、デジタル放送信号ＤＳの受信状態および最新の音楽コンテンツの蓄積状態に応じて、音声出力するコンテンツを切り替える。そのために、瞬断検出部１０６でデジタル放送信号ＤＳを正常に受信できると判定している場合、再生切替部１２３は、番組コンテンツ取得部１０２で取得した番組のコンテンツ（ひいては、音楽コンテンツ）を音声出力するコンテンツとする。
【００９６】
一方、瞬断検出部１０６でデジタル放送信号ＤＳを正常に受信できないと判定した場合、再生切替部１２３は、同一音楽検出部１２１で検索して抽出した音楽コンテンツデータを音声出力するコンテンツに切り替える。そして、再生切替部１２３は、現在音声出力していた音楽コンテンツと同じ音楽コンテンツを音声出力できる場合には、ドライバ等にその情報を知らせるために、放送と同じ音楽を蓄積音楽から検索することを知らせる画面１２３ａを表示した後、同じ音楽を再生することを知らせる画面１２３ｂをディスプレイ１１２に表示する（図２１参照）。図２１は、移動体受信端末１Ｃのディスプレイ１１２に表示される蓄積音楽への再生切替のお知らせ画面および画面遷移（同一音楽が見つかった場合）である。
【００９７】
しかし、同一音楽検出部１２１で同一のコンテンツＩＤを検索できない場合、再生切替部１２３は、最新音楽蓄積ＤＢ１２０に蓄積されている音楽コンテンツの中で蓄積した新しい順に音楽コンテンツデータを取り出し、このコンテンツデータを音声出力するコンテンツに切り替える。そして、再生切替部１２３は、最新の音楽コンテンツを音声出力する場合には、ドライバ等にその情報を知らせるために、放送と同じ音楽を蓄積音楽から検索することを知らせる画面１２３ａを表示した後、最新の音楽を再生することを知らせる画面１２３ｃをディスプレイ１１２に表示する（図２２参照）。図２２は、移動体受信端末１Ｃのディスプレイ１１２に表示される蓄積音楽への再生切替のお知らせ画面および画面遷移（同一音楽が見つからなかった場合）である。
【００９８】
次に、図１、図１８、図１９、図２１および図２２を参照して、移動体受信端末１Ｃおよびコンテンツ配信局２Ｃにおけるメイン処理を図２０のフローチャートに沿って説明する。図２０は、移動体受信端末１Ｃおよびコンテンツ配信局２Ｃにおけるメイン処理のフローチャートである。
【００９９】
コンテンツ配信局２Ｃでのメイン処理（Ｓ７０〜Ｓ７３）は、第２の実施の形態のコンテンツ配信局２Ｂでのメイン処理（Ｓ４０〜Ｓ４３）と同様の処理なので、説明を省略する。
【０１００】
一方、移動体受信端末１Ｃでは、人工衛星ＡＳあるいは電波塔ＲＴから放送される多数のコンテンツからなるデジタル放送信号ＤＳを受信する（Ｓ８０）。
【０１０１】
そして、移動体受信端末１Ｃでは、デジタル放送信号ＤＳをＴＳに変換した後、各ＴＳパケットに含まれるＰＥＳパケットのＣＲＣフラグに基づいて、ＰＥＳパケットを取りこぼしているか否かを判定する（Ｓ８１）。
【０１０２】
Ｓ８１の判定でＰＥＳパケットを取りこぼしていると判定した場合、移動体受信端末１Ｃでは、デジタル放送信号ＤＳを正常に受信できていないと判定し、最新音楽蓄積ＤＢ１２０に蓄積されている音楽コンテンツの中から、現在受信しているデジタル放送信号ＤＳにより音声出力している音楽コンテンツと同じコンテンツＩＤの音楽コンテンツを検索する（Ｓ８２）。このとき、移動体受信端末１Ｃでは、瞬断発生と放送と同じ音楽の検索のお知らせ画面１２３ａをディスプレイ１１２に表示する（図２１、図２２参照）
【０１０３】
Ｓ８２の検索で同じコンテンツＩＤの音楽コンテンツを検索できた場合、移動体受信端末１Ｃでは、検索した音楽コンテンツのコンテンツデータをアナログデータに変換し、このアナログデータの音楽コンテンツを再生してスピーカ１１１から音声出力する（Ｓ８３）。このとき、移動体受信端末１Ｃでは、蓄積音楽による同じ音楽への再生切替お知らせ画面１２３ｂをディスプレイ１１２に表示する（図２１参照）。そして、移動体受信端末１Ｃでは、Ｓ８３で再生している音楽コンテンツの音声出力が終了するか否かを判定し（Ｓ８４）、終了するまでＳ８３の処理を継続し、終了した場合にはＳ８０の処理に戻る。
【０１０４】
しかし、Ｓ８２の検索で同じコンテンツＩＤの音楽コンテンツを検索できなかった場合、移動体受信端末１Ｃでは、最新音楽蓄積ＤＢ１２０に蓄積した新しい順に音楽コンテンツのコンテンツデータを取り出し、そのコンテンツデータをアナログデータに変換し、さらにこのアナログデータの音楽コンテンツを再生してスピーカ１１１から音声出力する（Ｓ８５）。このとき、移動体受信端末１Ｃでは、蓄積音楽による最新音楽への再生切替お知らせ画面１２３ｃをディスプレイ１１２に表示する（図２２参照）。そして、移動体受信端末１Ｃでは、Ｓ８５で再生している音楽コンテンツの音声出力が終了するか否かを判定し（Ｓ８６）、終了するまでＳ８５の処理を継続し、終了した場合にはＳ８０の処理に戻る。
【０１０５】
一方、Ｓ８１の判定でＰＥＳパケットを取りこぼしていないと判定した場合、移動体受信端末１Ｃでは、デジタル放送信号ＤＳを正常に受信できると判定する。そして、移動体受信端末１Ｃでは、デジタル放送信号ＤＳによるＴＳからドライバ（あるいは、同乗者）が現在選択している番組のコンテンツデータ（ひいては、音楽コンテンツデータ）を取得し（Ｓ８７）、この取得した番組のコンテンツデータ（ひいては、音楽コンテンツデータ）をアナログデータに変換し、このアナログデータの番組コンテンツ（音楽コンテンツ）を再生してスピーカ１１１から音声出力する（Ｓ８８）。
【０１０６】
また、移動体受信端末１Ｃでは、デジタル放送信号ＤＳによるＴＳからコンテンツＩＤおよびそのコンテンツＩＤの音楽コンテンツのコンテンツデータを抽出し、抽出したコンテンツＩＤおよびコンテンツデータ等を最新音楽蓄積ＤＢ１２０に蓄積する（Ｓ８９）。さらに、移動体受信端末１Ｃでは、最新音楽蓄積ＤＢ１２０の使用容量をチェックし、容量が越える場合には蓄積した古い順からコンテンツＩＤおよびその音楽コンテンツデータ等を最新音楽蓄積ＤＢ１２０から削除する（Ｓ９０）。そして、移動体受信端末１Ｃでは、Ｓ９０の処理が終了すると、Ｓ８０に戻って処理を繰り返し実行する。
【０１０７】
この移動体受信端末１Ｃによれば、自動車で走行中にトンネルに入ったりあるいはビルの影に入ったりしてデジタル放送信号ＤＳを正常に受信できなくなった場合でも、現在受信しているデジタル放送信号ＤＳによって音声出力している音楽コンテンツと同じ音楽コンテンツを予め蓄積してある最新の音楽コンテンツから検索して音声出力することができるので、音声出力が途切れない。また、この移動体受信端末１Ｃによれば、同じ音楽コンテンツがない場合でも、予め蓄積してある最新の音楽コンテンツを音声出力することができる。
【０１０８】
次に、第４の実施の形態について説明する。
なお、コンテンツ配信局２Ｄの内部構成は、一部の内部構成を有さないが第２の実施の形態のコンテンツ配信局２Ｂと同様の内部構成を有するので、その説明を省略する。
【０１０９】
次に、図２３を参照して、ポータブルＭＰ３プレーヤＰについて説明する。図２３は、第４の実施の形態に係る移動体受信端末１Ｄおよびコンテンツ配信局２Ｄの内部構成図である。ポータブルＭＰ３プレーヤＰは、ＭＰＥＧ−１  Ａｕｄｉｏ  Ｌａｙｅｒ−ＩＩＩにより音声圧縮された音楽コンテンツを再生して音声出力するプレーヤであり、携帯可能である。また、ポータブルＭＰ３プレーヤＰは、微弱な赤外線による無線ＬＡＮ［Ｌｏｃａｌ  Ａｒｅａ  Ｎｅｔｗｏｒｋ］の通信装置を備えており、対等局方式により、無線ＬＡＮを備える他の通信装置と数メートル〜数１０メートルの範囲内で通信可能である。さらに、ポータブルＭＰ３プレーヤＰは、無線ＬＡＮによる通信によって他の通信装置からの再生、停止等の操作の制御が可能であり、再生した音楽コンテンツの音声出力を無線ＬＡＮを介して送信することができる。なお、ポータブルＭＰ３プレーヤＰは、無線ＬＡＮによる通信によって音楽コンテンツを送信可能な機器であることを示す識別ＩＤを有しており、他の通信装置から探索信号が発せられるとこの識別ＩＤを送信する。
なお、第４の実施の形態では、ポータブルＭＰ３プレーヤＰが特許請求の範囲に記載の記録コンテンツ再生装置に相当する。
【０１１０】
次に、図２３を参照して、移動体受信端末１Ｄの内部構成について説明する。なお、移動体受信端末１Ｄの内部構成では、第２の実施の形態の移動体受信端末１Ｂと同様の内部構成について同じ符号を付し、その説明を省略する。
【０１１１】
移動体受信端末１Ｄは、主に、デジタル放送受信部１０１、番組コンテンツ取得部１０２、瞬断検出部１０６、周辺機器通信部１２４、周辺機器探索部１２５、周辺機器制御部１２６、再生切替部１２７、オーディオ再生部１１０から構成されている。そのために、移動体受信端末１Ｄは、図示しないＭＰＵ、ＲＡＭ、各種回路、記憶装置、受信アンテナ、無線ＬＡＮの通信装置、ユーザインターフェース（操作部）およびスピーカ１１１、ディスプレイ１１２等を備えている。なお、第４の実施の形態では、瞬断検出部１０６が特許請求の範囲に記載の受信状態検出手段に相当し、周辺機器通信部１２４が特許請求の範囲に記載の通信手段に相当し、周辺機器探索部１２５が特許請求の範囲に記載の再生装置探索手段に相当し、周辺機器制御部１２６が特許請求の範囲に記載の再生制御手段に相当し、再生切替部１２７が特許請求の範囲に記載の切替手段に相当する。
【０１１２】
周辺機器通信部１２４について説明する。
周辺機器通信部１２４は、微弱な赤外線による無線ＬＡＮの通信装置を備えており、対等局方式により、無線ＬＡＮを備える他の通信装置と数メートル〜数１０メートルの範囲内で通信する。周辺機器通信部１２４は、再生音楽コンテンツを送信可能なプレーヤ（ポータブルＭＰ３プレーヤＰ）から送信されてくる音楽コンテンツの再生音声を受信する。
【０１１３】
周辺機器探索部１２５について説明する。
周辺機器探索部１２５は、周辺機器通信部１２４を介して、再生音楽コンテンツを送信可能な機器を探索するための探索信号を発信する。そして、周辺機器探索部１２５は、音楽コンテンツを送信可能な機器（ポータブルＭＰ３プレーヤＰ）の識別ＩＤを受信すると、再生音楽コンテンツを送信可能な機器が周辺に存在すると判定する。
【０１１４】
周辺機器制御部１２６について説明する。
周辺機器制御部１２６は、周辺機器通信部１２４を介して、再生音楽コンテンツを送信可能な機器（ポータブルＭＰ３プレーヤＰ）に制御信号を送信し、音楽コンテンツの再生、再生停止等の操作を行うとともに音楽コンテンツの再生音声の送信命令を行う。
【０１１５】
再生切替部１２７について説明する。
再生切替部１２７は、デジタル放送信号ＤＳの受信状態に応じて、音声出力するコンテンツを切り替える。そのために、瞬断検出部１０６でデジタル放送信号ＤＳを正常に受信できると判定している場合、再生切替部１２７は、番組コンテンツ取得部１０２で取得した番組のコンテンツを音声出力するコンテンツとする。一方、瞬断検出部１０６でデジタル放送信号ＤＳを正常に受信できないと判定した場合、再生切替部１２７は、再生音楽コンテンツを送信可能な機器を探索し、その探索した機器（ポータブルＭＰ３プレーヤＰ）から受信した再生音楽コンテンツを音声出力するコンテンツに切り替える。そして、再生切替部１２７は、再生音楽コンテンツを送信可能な機器からの再生音楽コンテンツを音声出力するときには、ドライバ等にその情報を知らせるために、瞬断発生と再生機器の探索お知らせ画面１２７ａ、周辺再生機器の検出と再生要求お知らせ画面１２７ｂ、周辺再生機器による再生切替お知らせ画面１２７ｃをディスプレイ１１２に表示する（図２５参照）。図２５は、移動体受信端末１Ｄのディスプレイ１１２に表示される周辺再生機器への再生切替のお知らせ画面および画面遷移である。
【０１１６】
次に、図１、図２３および図２５を参照して、移動体受信端末１Ｄおよびコンテンツ配信局２Ｄにおけるメイン処理を図２４のフローチャートに沿って説明する。図２４は、移動体受信端末１Ｄおよびコンテンツ配信局２Ｄにおけるメイン処理のフローチャートである。
【０１１７】
コンテンツ配信局２Ｄでは、番組プログラムが作成され、その番組プログラムの番組が制作される。そして、コンテンツ配信局２Ｄでは、この制作した番組のコンテンツデータ（音楽コンテンツデータを含む）をコンテンツＤＢ２００に格納している。
【０１１８】
そして、コンテンツ配信局２Ｄでは、番組プログラムに従って番組に流れる音楽コンテンツを、コンテンツＤＢ２００から選択する（Ｓ１００）。
【０１１９】
さらに、コンテンツ配信局２Ｄでは、音楽コンテンツの個別ストリームを複数のＰＥＳパケットに分割する（Ｓ１０１）。
【０１２０】
続いて、コンテンツ配信局２Ｄでは、多数のコンテンツのＰＥＳパケットを多重化してＴＳを生成し、このＴＳを衛星放送または地上波放送に適したデジタル放送信号ＤＳに変調し、さらにこのデジタル放送信号ＤＳを送信アンテナにより人工衛星ＡＳあるいは電波塔ＲＴに送信する（Ｓ１０２）。そして、コンテンツ配信局２Ｄでは、Ｓ１０２の処理が終了すると、Ｓ１００に戻って処理を繰り返し実行する。
【０１２１】
一方、移動体受信端末１Ｄでは、人工衛星ＡＳあるいは電波塔ＲＴから放送される多数のコンテンツからなるデジタル放送信号ＤＳを受信する（Ｓ１１０）。
【０１２２】
そして、移動体受信端末１Ｄでは、デジタル放送信号ＤＳをＴＳに変換した後、各ＴＳパケットに含まれるＰＥＳパケットのＣＲＣフラグに基づいて、ＰＥＳパケットを取りこぼしているか否かを判定する（Ｓ１１１）。
【０１２３】
Ｓ１１１の判定でＰＥＳパケットを取りこぼしていると判定した場合、移動体受信端末１Ｄでは、デジタル放送信号ＤＳを正常に受信できていないと判定し、再生音楽コンテンツを送信可能な機器が周辺に存在するか探索する（Ｓ１１２）。このとき、移動体受信端末１Ｄでは、瞬断発生と再生機器の探索お知らせ画面１２７ａをディスプレイ１１２に表示する（図２５参照）。
【０１２４】
ポータブルＭＰ３プレーヤＰから識別ＩＤを受信すると、移動体受信端末１Ｄでは、ポータブルＭＰ３プレーヤＰに対して音楽コンテンツの再生要求を送信し、さらに再生している音楽コンテンツの送信要求を送信する（Ｓ１１３）。このとき、移動体受信端末１Ｄでは、ポータブルＭＰ３プレーヤＰの検出と再生要求お知らせ画面１２７ｂをディスプレイ１１２に表示する（図２５参照）。
【０１２５】
すると、ポータブルＭＰ３プレーヤＰでは、音楽コンテンツの再生を開始するとともにその再生している音楽コンテンツの送信を開始する。そこで、移動体受信端末１Ｄでは、この再生音楽コンテンツを受信し（Ｓ１１４）、その再生音楽コンテンツをスピーカ１１１から音声出力する（Ｓ１１５）。このとき、移動体受信端末１Ｄでは、ポータブルＭＰ３プレーヤＰによる再生切替お知らせ画面１２７ｃをディスプレイ１１２に表示する（図２５参照）。そして、移動体受信端末１Ｄでは、Ｓ１１５での音声出力が終了するとＳ１１０の処理に戻る。
【０１２６】
一方、Ｓ１１１の判定でＰＥＳパケットを取りこぼしていないと判定した場合、移動体受信端末１Ｄでは、デジタル放送信号ＤＳを正常に受信できると判定する。そして、移動体受信端末１Ｄでは、デジタル放送信号ＤＳによるＴＳからドライバ（あるいは、同乗者）が現在選択している番組（チャンネル）のコンテンツデータを取得し（Ｓ１１６）、この取得した番組のコンテンツデータをアナログデータに変換し、このアナログデータの番組コンテンツを再生してスピーカ１１１から音声出力する（Ｓ１１７）。そして、移動体受信端末１Ｄでは、Ｓ１１７の処理が終了すると、Ｓ１１０に戻って処理を繰り返し実行する。
【０１２７】
この移動体受信端末１Ｄによれば、自動車で走行中にトンネルに入ったりあるいはビルの影に入ったりしてデジタル放送信号ＤＳを正常に受信できなくなった場合でも、音楽コンテンツを再生する周辺機器と通信して、その周辺機器からの再生音楽コンテンツを音声出力することができるので、音声出力が途切れない。また、この移動体受信端末１Ｄによれば、周辺機器から音楽コンテンツを取得するので、音楽コンテンツを蓄積する必要がない。
【０１２８】
次に、第５の実施の形態について説明する。
なお、コンテンツ配信局２Ｅの内部構成は、第３の実施の形態のコンテンツ配信局２Ｃと同様の内部構成を有するので、その説明を省略する。
【０１２９】
次に、図２６を参照して、移動体受信端末１Ｅの内部構成について説明する。なお、移動体受信端末１Ｅの内部構成では、第３の実施の形態の移動体受信端末１Ｃと同様の内部構成について同じ符号を付し、その説明を省略する。図２６は、第５の実施の形態に係る移動体受信端末１Ｅおよびコンテンツ配信局２Ｅの内部構成図である。
【０１３０】
移動体受信端末１Ｅは、主に、最新音楽蓄積ＤＢ１２０、デジタル放送受信部１０１、番組コンテンツ取得部１０２、コンテンツＩＤ抽出部１１４、自車位置取得部１２８、カーナビ地図データ記憶部１２９、瞬断予測部１３０、同一音楽検出部１２１、蓄積音楽管理部１２２、再生切替部１３１、オーディオ再生部１１０から構成されている。そのために、移動体受信端末１Ｅは、図示しないＭＰＵ、ＲＡＭ、各種回路、記憶装置、受信アンテナ、ＧＰＳ[Gloval Positioning System]受信アンテナ、距離センサ、方位センサ、ユーザインターフェース（操作部）およびスピーカ１１１、ディスプレイ１１２等を備えている。
なお、第５の実施の形態では、最新音楽蓄積ＤＢ１２０が特許請求の範囲に記載のコンテンツ蓄積手段に相当し、自車位置取得部１２８が特許請求の範囲に記載の現在位置取得手段に相当し、瞬断予測部１３０が特許請求の範囲に記載の受信状態予測手段に相当し、同一音楽検出部１２１が特許請求の範囲に記載の同一コンテンツ検出手段に相当し、再生切替部１３１が特許請求の範囲に記載の切替手段に相当する。
【０１３１】
自車位置取得部１２８について説明する。
自車位置取得部１２８は、ＧＰＳ受信アンテナ、距離センサ、方位センサを備えており、自動車Ｖの現在位置を取得する。そのために、自車位置取得部１２８は、ＧＰＳ受信アンテナにより受信した少なくとも３つのＧＰＳ信号に基づいて、ＧＰＳによる現在位置を演算する。また、自車位置取得部１２８は、距離センサによる走行距離および方位センサによる方位に基づいて、自立航法による現在位置を演算する。そして、自車位置取得部１２８は、ＧＰＳによる現在位置と自立航法による現在位置に基づいてハイブリッド航法による走行軌跡や方位を演算する。さらに、自車位置取得部１２８は、その走行軌跡および方位とカーナビ地図データ記憶部１２９のマップマッチグ用の地図データとに基づいてマップマッチングを行い、現在位置、走行中道路および走行方向を演算する。
【０１３２】
カーナビ地図データ記憶部１２９について説明する。
カーナビ地図データ記憶部１２９は、光磁気ディスク等からなり、カーナビゲーションのマップマッチング用および表示用のデジタル地図データを記憶している。このデジタル地図データには、道路データおよびトンネル等の道路上の施設のデータの他に、道路外のビル等の建築物のデータや鉄道のデータも含んでいる。
【０１３３】
瞬断予測部１３０について説明する。
瞬断予測部１３０は、デジタル放送信号ＤＳを正常に受信できない場所をこれから自動車が走行するか否かを予測する。そのために、瞬断予測部１３０は、自車位置取得部１２８で演算した現在位置、走行中道路および走行方向に基づいて、カーナビ地図データ記憶部１２９からその走行中道路の走行先の道路上の施設や建築物等のデータを取得する。そして、瞬断予測部１３０は、トンネルや高速道路等の道路上の施設やビル等の建築物が走行先に存在する場合、デジタル放送信号ＤＳを正常に受信できないと予測し、その正常に受信できない場所（道路上の位置）を特定する。一方、瞬断予測部１３０は、道路上および道路に沿ってデジタル放送信号ＤＳに対する障害物がない場合、デジタル放送信号ＤＳを正常に受信できると予測する。例えば、図２８に示すように、自車Ｖの走行先の道路にトンネルＴが存在する場合、そのトンネルＴの位置をデジタル放送信号ＤＳを正常に受信できない場所と予測する。図２８は、瞬断発生場所の一例の模式図である。
【０１３４】
再生切替部１３１について説明する。
再生切替部１３１は、デジタル放送信号ＤＳの受信状態の予測に応じて、音声出力するコンテンツを切り替える。そのために、瞬断予測部１３０でデジタル放送信号ＤＳを正常に受信できると予測している場合、再生切替部１３１は、番組コンテンツ取得部１０２で取得した番組のコンテンツを音声出力するコンテンツとする。
【０１３５】
一方、瞬断検出部１３０でデジタル放送信号ＤＳを正常に受信できないと予測した場合、再生切替部１３１は、受信できない場所に到達する前に、同一音楽検出部１２１で検索して抽出した音楽コンテンツデータを音声出力するコンテンツに切り替える。そして、再生切替部１３１は、現在音声出力していた音楽コンテンツと同じ音楽コンテンツを音声出力できる場合には、ドライバ等にその情報を知らせるために、これから瞬断発生場所を通過することおよび放送と同じ音楽を蓄積音楽から検出することを知らせる画面１３１ａを表示した後、同じ音楽を再生することを知らせる画面１３１ｂをディスプレイ１１２に表示する（図２９参照）。図２９は、移動体受信端末１Ｅのディスプレイ１１２に表示される瞬断予測結果により蓄積音楽への再生切替のお知らせ画面および画面遷移（同一音楽が見つかった場合）である。
【０１３６】
しかし、同一音楽検出部１２１で同一のコンテンツＩＤを検索できない場合、再生切替部１３１は、最新音楽蓄積ＤＢ１２０に蓄積されている音楽コンテンツの中で蓄積した新しい順に音楽コンテンツデータを取り出し、受信できない場所に到達する前に、このコンテンツデータを音声出力するコンテンツに切り替える。そして、再生切替部１３１は、最新の音楽コンテンツを音声出力する場合には、ドライバ等にその情報を知らせるために、これから瞬断発生場所を通過することおよび放送と同じ音楽を蓄積音楽から検出することを知らせる画面１３１ａを表示した後、最新の音楽を再生することを知らせる画面１３１ｃをディスプレイ１１２に表示する（図３０参照）。図３０は、移動体受信端末１Ｅのディスプレイ１１２に表示される瞬断予測結果により蓄積音楽への再生切替のお知らせ画面および画面遷移（同一音楽が見つからなかった場合）である。
【０１３７】
次に、図１、図２６、図２８、図２９および図３０を参照して、移動体受信端末１Ｅおよびコンテンツ配信局２Ｅにおけるメイン処理を図２７のフローチャートに沿って説明する。図２７は、移動体受信端末１Ｅおよびコンテンツ配信局２Ｅにおけるメイン処理のフローチャートである。
【０１３８】
コンテンツ配信局２Ｅでのメイン処理（Ｓ１２０〜Ｓ１２３）は、第２の実施の形態のコンテンツ配信局２Ｂでのメイン処理（Ｓ４０〜Ｓ４３）および第３の実施の形態のコンテンツ配信局２Ｃでのメイン処理（Ｓ７０〜Ｓ７３）と同様の処理なので、説明を省略する。
【０１３９】
一方、移動体受信端末１Ｅでは、人工衛星ＡＳあるいは電波塔ＲＴから放送される多数のコンテンツからなるデジタル放送信号ＤＳを受信する（Ｓ１３０）。
【０１４０】
そして、移動体受信端末１Ｅでは、ＧＰＳ信号、距離センサによる走行距離、方位センサによる方位および地図データに基づいて、現在位置、走行中道路および走行方向を演算する（Ｓ１３１）。
【０１４１】
さらに、移動体受信端末１Ｅでは、演算した現在位置、走行中道路および走行方向とその走行中道路の走行先の道路上の施設や建築物等のデータとに基づいて、走行先にデジタル放送信号ＤＳを正常に受信できない場所（瞬断発生場所）があるか否か予測する（Ｓ１３２）。
【０１４２】
Ｓ１３２の予測で瞬断発生場所があると予測した場合、移動体受信端末１Ｅでは、最新音楽蓄積ＤＢ１２０に蓄積されている音楽コンテンツの中から、現在受信しているデジタル放送信号ＤＳにより音声出力している音楽コンテンツと同じコンテンツＩＤの音楽コンテンツを検索する（Ｓ１３３）。このとき、移動体受信端末１Ｅでは、もうすぐ瞬断発生場所の通過と放送と同じ音楽の検索のお知らせ画面１３１ａをディスプレイ１１２に表示する（図２９、図３０参照）
【０１４３】
Ｓ１３３の検索で同じコンテンツＩＤの音楽コンテンツを検索できた場合、移動体受信端末１Ｅでは、検索した音楽コンテンツのコンテンツデータをアナログデータに変換し、このアナログデータの音楽コンテンツを再生してスピーカ１１１から音声出力する（Ｓ１３４）。このとき、移動体受信端末１Ｅでは、蓄積音楽による同じ音楽への再生切替お知らせ画面１３１ｂをディスプレイ１１２に表示する（図２９参照）。そして、移動体受信端末１Ｅでは、Ｓ１３４で再生している音楽コンテンツの音声出力が終了するか否かを判定し（Ｓ１３５）、終了するまでＳ１３４の処理を継続し、終了した場合にはＳ１３０の処理に戻る。
【０１４４】
しかし、Ｓ１３３の検索で同じコンテンツＩＤの音楽コンテンツを検索できなかった場合、移動体受信端末１Ｅでは、最新音楽蓄積ＤＢ１２０に蓄積した新しい順に音楽コンテンツのコンテンツデータを取り出し、そのコンテンツデータをアナログデータに変換し、さらにこのアナログデータの音楽コンテンツを再生してスピーカ１１１から音声出力する（Ｓ１３６）。このとき、移動体受信端末１Ｅでは、蓄積音楽による最新音楽への再生切替お知らせ画面１３１ｃをディスプレイ１１２に表示する（図３０参照）。そして、移動体受信端末１Ｅでは、Ｓ１３６で再生している音楽コンテンツの音声出力が終了するか否かを判定し（Ｓ１３７）、終了するまでＳ１３６の処理を継続し、終了した場合にはＳ１３０の処理に戻る。
【０１４５】
一方、Ｓ１３２の予測で瞬断発生場所がないと予測した場合、Ｓ１３８〜Ｓ１４１の処理に移る。この移動体受信端末１ＥでのＳ１３８〜Ｓ１４１の処理は、第３の実施の形態の移動体受信端末１Ｃでのメイン処理（Ｓ８７〜Ｓ９０）と同様の処理なので、説明を省略する。そして、移動体受信端末１Ｅでは、Ｓ１４１の処理が終了すると、Ｓ１３０に戻って処理を繰り返し実行する。
【０１４６】
この移動体受信端末１Ｅによれば、カーナビゲーション機能を利用して、デジタル放送信号ＤＳを正常に受信できるか否かを予測することができる。そして、移動体受信端末１Ｅによれば、走行先でトンネルに入ったりあるいはビルの影に入ったりしてデジタル放送信号ＤＳを正常に受信できなくなると予測した場合には、その場所に到達する前に、現在デジタル放送信号ＤＳによって音声出力している音楽コンテンツと同じ音楽コンテンツあるいは最新の音楽コンテンツを音声出力することができるので、音声出力が途切れない。
【０１４７】
以上、本発明の実施の形態について説明したが、本発明は、前記の実施の形態に限定されることなく、様々な形態で実施される。
例えば、本実施の形態では自動車の走行によってデジタル放送信号を受信できない場合としたが、デジタル放送施設の故障、人工衛星の故障等によってデジタル放送信号を受信できない場合にも適用可能である。
また、本実施の形態ではデジタル放送受信装置を自動車に搭載する移動体受信端末に適用したが、ＰＤＡ等のモバイル機器、ポータブルのデジタル放送対応テレビ、デジタル放送対応ラジオあるいは据置型のデジタル対応テレビ等にも適用できる。
また、本実施の形態では音声コンテンツを対象としたが、映像コンテンツ、文字コンテンツ等の他のコンテンツにも対応可能である。
また、第４の実施の形態では記録コンテンツ再生装置をポータブルＭＰ３プレーヤとしたが、通信機能を備えるＭＤプレーヤ、ＣＤプレーヤ等の他のプレーヤでもよい、また、無線ＬＡＮ以外にもＢｌｕｅｔｏｏｔｈ等の他の無線通信を利用して通信するようにしてもよい。
【０１４８】
【発明の効果】
本発明に係るデジタル受信装置によれば、デジタル放送信号を正常に受信できない場合でも、コンテンツの出力が途切れないので、視聴者に不快感を与えない。
【図面の簡単な説明】
【図１】本実施の形態に係るデジタル放送システムの全体構成図である。
【図２】第１の実施の形態に係る移動体受信端末およびコンテンツ配信局の内部構成図である。
【図３】図２の移動体受信端末のお好み番組蓄積ＤＢのデータ構成図である。
【図４】図２の移動体受信端末およびコンテンツ配信局におけるメイン処理のフローチャートである。
【図５】図２の移動体受信端末におけるお好み番組抽出処理のフローチャートである。
【図６】電子番組表の例である。
【図７】図２の移動体受信端末のディスプレイに表示される蓄積番組への再生切替のお知らせ画面である。
【図８】図２の移動体受信端末のディスプレイに表示されるお好み番組の登録画面および画面遷移の例１である。
【図９】図２の移動体受信端末のディスプレイに表示されるお好み番組の登録画面および画面遷移の例２である。
【図１０】図２の移動体受信端末のディスプレイに表示されるお好み番組の登録画面および画面遷移の例３である。
【図１１】第２の実施の形態に係る移動体受信端末およびコンテンツ配信局の内部構成図である。
【図１２】図１１の移動体受信端末のお好み音楽蓄積ＤＢのデータ構成図である。
【図１３】図１１の移動体受信端末およびコンテンツ配信局におけるメイン処理のフローチャートである。
【図１４】図１１の移動体受信端末におけるお好み音楽抽出処理のフローチャートである。
【図１５】デジタル放送される音楽コンテンツの構成図である。
【図１６】図１１の移動体受信端末のディスプレイに表示される蓄積音楽への再生切替のお知らせ画面である。
【図１７】図１１の移動体受信端末のディスプレイに表示されるお好み音楽の登録画面および画面遷移の例である。
【図１８】第３の実施の形態に係る移動体受信端末およびコンテンツ配信局の内部構成図である。
【図１９】図１８の移動体受信端末の最新音楽蓄積ＤＢのデータ構成図である。
【図２０】図１８の移動体受信端末およびコンテンツ配信局におけるメイン処理のフローチャートである。
【図２１】図１８の移動体受信端末のディスプレイに表示される蓄積音楽への再生切替のお知らせ画面および画面遷移（同一音楽が見つかった場合）である。
【図２２】図１８の移動体受信端末のディスプレイに表示される蓄積音楽への再生切替のお知らせ画面および画面遷移（同一音楽が見つからなかった場合）である。
【図２３】第４の実施の形態に係る移動体受信端末およびコンテンツ配信局の内部構成図である。
【図２４】図２３の移動体受信端末およびコンテンツ配信局におけるメイン処理のフローチャートである。
【図２５】図２３の移動体受信端末のディスプレイに表示される周辺再生機器への再生切替のお知らせ画面および画面遷移である。
【図２６】第５の実施の形態に係る移動体受信端末およびコンテンツ配信局の内部構成図である。
【図２７】図２６の移動体受信端末およびコンテンツ配信局におけるメイン処理のフローチャートである。
【図２８】瞬断発生場所の一例の模式図である。
【図２９】図２６の移動体受信端末のディスプレイに表示される瞬断予測結果により蓄積音楽への再生切替のお知らせ画面および画面遷移（同一音楽が見つかった場合）である。
【図３０】図２６の移動体受信端末のディスプレイに表示される瞬断予測結果により蓄積音楽への再生切替のお知らせ画面および画面遷移（同一音楽が見つからなかった場合）である。
【符号の説明】
１，１Ａ，１Ｂ，１Ｃ，１Ｄ，１Ｅ・・・移動体受信端末（デジタル放送受信装置）
２，２Ａ，２Ｂ，２Ｃ，２Ｄ，２Ｅ・・・コンテンツ配信局
１００・・・お好み番組蓄積ＤＢ（コンテンツ蓄積手段）
１０３・・・電子番組表取得部（電子番組表取得手段）
１０４・・・お好み番組登録部（番組登録手段）
１０５・・・登録お好み番組情報記憶部（番組情報記憶手段）
１０６・・・瞬断検出部（受信状態検出手段）
１０７・・・お好み番組抽出部（番組抽出手段）
１０８・・・蓄積番組管理部（番組抽出手段）
１０９，１１９，１２３，１２７，１３１・・・再生切替部（切替手段）
１１３・・・お好み音楽蓄積ＤＢ（コンテンツ蓄積手段）
１１４・・・コンテンツＩＤ抽出部（コンテンツＩＤ取得手段）
１１５・・・お好み音楽コンテンツＩＤ登録部（コンテンツＩＤ登録手段）
１１６・・・登録お好み音楽コンテンツＩＤ記憶部（コンテンツＩＤ記憶手段）
１１７・・・お好み音楽抽出部（コンテンツ抽出手段）
１１８・・・蓄積音楽管理部（コンテンツ抽出手段）
１２０・・・最新音楽蓄積ＤＢ（コンテンツ蓄積手段）
１２１・・・同一音楽検出部（同一コンテンツ検出手段）
１２４・・・周辺機器通信部（通信手段）
１２５・・・周辺機器探索部（再生装置探索手段）
１２６・・・周辺機器制御部（再生制御手段）
１２８・・・自車位置取得部（現在位置取得手段）
１３０・・・瞬断予測部（受信状態予測手段）
Ｐ・・・ポータブルＭＰ３プレーヤ（記録コンテンツ再生装置）
Ｓ・・・デジタル放送システム
Ｖ・・・自動車（移動体）
ＡＳ・・・人工衛星（長楕円軌道衛星）
ＤＳ・・・デジタル放送信号
【図１】
0003818575.tif 000002
【図２】
0003818575.tif 000003
【図３】
0003818575.tif 000004
【図４】
0003818575.tif 000005
【図５】
0003818575.tif 000006
【図６】
0003818575.tif 000007
【図７】
0003818575.tif 000008
【図８】
0003818575.tif 000009
【図９】
0003818575.tif 000010
【図１０】
0003818575.tif 000011
【図１１】
0003818575.tif 000012
【図１２】
0003818575.tif 000013
【図１３】
0003818575.tif 000014
【図１４】
0003818575.tif 000015
【図１５】
0003818575.tif 000016
【図１６】
0003818575.tif 000017
【図１７】
0003818575.tif 000018
【図１８】
0003818575.tif 000019
【図１９】
0003818575.tif 000020
【図２０】
0003818575.tif 000021
【図２１】
0003818575.tif 000022
【図２２】
0003818575.tif 000023
【図２３】
0003818575.tif 000024
【図２４】
0003818575.tif 000025
【図２５】
0003818575.tif 000026
【図２６】
0003818575.tif 000027
【図２７】
0003818575.tif 000028
【図２８】
0003818575.tif 000029
【図２９】
0003818575.tif 000030
【図３０】
0003818575.tif 000031